(57)【要約】【課題】書庫、本箱等の収納棚からプラケース又はファイルブック、本がつまみ又は取っ手、紐又は帯状の紐をつまんで、取り出しが円滑になるようにした取っ手付きプラケース及びファイルブックを提供する。【解決手段】プラスチックケース又はファイルブックの背面部外側中心付近に切り込み、又はつまみ、取っ手を設け、それらを引っ張ることにより、書庫、本箱等の収納棚からファイル、ケース等をスムーズに、スピーデイに取り出せることを特徴とする。【選択図】  図１０
2007022048.tif 000002
【特許請求の範囲】
【請求項１】
書庫、本箱等の収納棚からファイルブックを取り出しやすくするためにファイルブックの背面部の適所に各種形状の切り込みを設けた取っ手付きプラケース及びファイルブック。
【請求項２】
書庫、本箱等の収納箱から名詞入れ、事務用、写真用、図面用、ノート用ファイルを取り出しやすくするために、ファイルの背面部に外側の適所に各種形状のつまみ又は取っ手を設け、圧着、粘着テープ、又は接着で固定し、ファイルを取り出しやすくし、又アクセサリの一部として花柄、動物、丸形、長方形、三角、幾何学模様、半丸その他の形状で楽しめる請求項１記載の取っ手付きプラケース及びファイルブック。
【請求項３】
書庫、本箱等の収納棚からカセットテープ、ＣＤ、ロム、ＤＶＤを取り出しやすくするためにプラスチックケースの背面部外側の適所につまみ又は取っ手を射出成形機で一体成形した請求項１〜２記載の取っ手付きプラケース及びファイルブック。
【請求項４】
書庫、本箱等の収納棚から書籍、本を取り出しやすくするために本のカバーの中心付近に小さな穴を設け、その穴に内側から外側に紐又は帯状の物を出し、内側にこぶを設けて外側に抜けないようにし、つまみ又は取っての変わりとした請求項１〜３記載の取っ手付きプラケース及びファイルブック。
【請求項５】
ファイルブック又はプラスチックケースの背面部外側に各種形状の突起、つまみ、取っ手、紐又は帯状の紐等を切り込み、一体成形、圧着、接着、粘着テープ、小穴等で取り付ける事を特徴とする請求項１〜４記載のプラケース及びファイルブック。
【発明の詳細な説明】
【技術分野】
【０００１】  本発明は、各種書類のはいったプラケース及び各種書類を保管するファイルブックとファイルシートを書庫に保管し、その出し入れが、特に取り出すときに素早く、容易であるプラスチックケースとファイルブックに関するものである。
【背景技術】
【０００２】  カセットテープ・ＣＤ．ＤＶＤ・ビデオテープ等を書庫・本箱に保管するとき、プラスチックケースの中に又、帳簿類その他の書類等を綴じ込んで保存するのに使用されているファイルブック等が利用され数多く販売されているものもある。
例えば、特開２００１−１３０６７１公報、特許３０１０１７７公報等がある。
【発明の開示】
【発明が解決しようとする課題】
【０００３】  それには次のような問題点があった。
（イ）書庫・本箱に隙間なくぎっしり保管されたプラスチックケース・ファイルブッ          ク・本は、収納棚の縦て寸法の間隔が狭い時等、取り出しが大変不便である。
（ロ）プラスチックケース・ファイルブック等の綴じ側の外側部背面に、取り出しや          すいように、各種つまみ・取っ手、紐又は帯状の紐、切り込み等を設けたもの          はない。
（ハ）プラスチックケース・ファイルブック・本などを書庫・本箱等の収納箱から取          り出しやすい用に工夫された商品はない。
本発明は、以上の問題点を解決するためのものである。
【課題を解決するための手段】
【０００４】  本発明は上述の目的を達成するため、プラスチックケース・ファイルブックの綴じ側の外側部背面に各種形状のつまみ・取っ手、紐又は帯状の紐を適所に設け、又切り込み等も１ないし複数個適所に設けることにより、縦て寸法の間隔の狭い書庫・本箱等の収納棚等においてプラスチックケース・ファイルブック・書籍が取り出しやすくすることを特徴とする取手付きプラケース及びファイルブックである。
【発明の効果】
【０００５】  この発明により、縦寸法の間隔の狭い書庫・本箱等の収納棚からプラスチックケース・ファイルブック・書籍などが、各種つまみ・取っ手、紐又は帯状の紐、切り込み等を引っ張ることにより、スピーデイに容易に取り出せる効果があり、又各種つまみ・取っ手は多種類の形状にして、アクセサリーの一部としても利用できる。
【発明を実施するための最良の形態】
【０００６】  以下、本発明の実施の形態を説明する。
（イ）プラスチックケース・ファイルブック・書籍等を設ける。
（ロ）クリヤーファイルブック・資料用ファイルブック等には、背面部の適所の一部          に加工又は切り込みをいれ、つまみ又は取っ手の代用とする。
（ハ）名刺入れ・事務用・写真用・図面用・ノート用等のファイル等には背面部の適          所に突起、つまみ、取っ手を製作し圧着・接着する。
（ニ）カセットテープ・ＣＤ・ＤＶＤ・ビデオテープ等にはプラスチックケース背面          部に取っ手又はつまみを設け、射出成形機で一体成形する。
（ホ）書籍・本については引き出すのに大変苦労するため、本のカバーの背面部の中          心部近くに小さな穴をあけ内側から紐又は帯状の紐を背面外側にだすか、ある          いは、紐又は帯状の物を接着して取り付ける。
（ト）取っ手、つまみはアクセサリーの一部として、花柄、動物、丸形、長方形、三          角、幾何学模様、半丸等その他各種の形状に成形して利用できる。
本発明は、以上の構成よりなっている。
これを使用するときは、プラスチックケース及びファイルボックスの背面部の切り込みを外側におこすか又はつまみ、取っ手及び紐を引っ張ることによりスピーディに引出せる。
【図面の簡単な説明】
【０００７】
【図１】ファイルブックの背面に切込みを入れた正面図
【図２】ファイルブックの背面に切り込みを入れた一部を欠いた左側面図
【図３】ファイルブックの他の背面に突起、つまみ又は取っ手を圧着又は接着した正面図
【図４】ファイルブックの他の背面に突起、つまみ又は取っ手を圧着又は接着した一部を欠いた左側面図
【図５】プラスチックケース背面部に突起、つまみ又は取っ手を射出成形機で一体成形した正面図
【図６】プラスチックケース背面部に突起、つまみ又は取っ手を射出成形機で一体成形した一部を欠いた左側面図
【図７】書籍・本のカバーの背面部中心近くに小さな穴をあけ、背面部内側から紐又は帯状の物を外側に出した状態の正面図
【図８】書籍・本のカバーの背面部中心近くに小さな穴をあけ、背面部内側から紐又は帯状の物を外側に出した状態の一部を欠いた左側面図
【図９】本のカバーの紐又は帯状の紐を使用した例の斜視図
【図１０】ファイルブックの背面部に突起、つまみ，取っ手を使用した例の斜視図
【符号の説明】
【０００８】１  ファイルブック又はプラステイックケース
２  切り込み部
３  突起（つまみ又は取っ手）
４  一体成形の突起（つまみ又は取って）
５  紐又は帯状の紐
【図１】
2007022048.tif 000003
【図２】
2007022048.tif 000004
【図３】
2007022048.tif 000005
【図４】
2007022048.tif 000006
【図５】
2007022048.tif 000007
【図６】
2007022048.tif 000008
【図７】
2007022048.tif 000009
【図８】
2007022048.tif 000010
【図９】
2007022048.tif 000011
【図１０】
2007022048.tif 000012